(57)【要約】【課題】機器が登録したポイントは必ずしもユーザが見たいポイントとは一致しないことが多かった。また、不必要なポイント登録が増え、ユーザにとっては煩わしいものになり、逆に混乱させる結果ともなっていた。【解決手段】映像データを記録するＨＤＤ５と、最初に記録した映像データから栞データを抽出し、その栞データを属性データと一緒に最初の映像データに添付して記録する栞データ抽出部１６、栞データ記録部２３と、２回目以降の映像データが最初の映像データと同じ種類のデータか否かを判定する新旧結び付け処理部３３と、同じ種類のデータであると判定した場合に表示メニューを作成し画面に表示するメニュー作成表示手段と、選択された栞データに基づいて栞の位置まで再生前の映像データをジャンプさせ、その個所から映像データの再生を開始するデータ再生開始制御手段（２０、２６、８）を備えた。【選択図】  図１
2005268987.tif 000002
【特許請求の範囲】
【請求項１】
音声データを含む映像データをディジタル化して記録媒体に格納し、該格納されたディジタルデータを再生する映像データ処理装置において、
音声データを含む映像データを記録する記録媒体と、
最初に記録した映像データから栞データを抽出し、その栞データを属性データと一緒に最初の映像データに添付して記録する栞データ抽出／記録手段と、
前記属性データを参照して、２回目以降の映像データが、最初の映像データと同じ種類のデータか否かを判定する映像データ種類判定手段と、
２回目以降の映像データが最初の映像データと同じ種類のデータであると判定した場合に、前記栞データを参照して表示メニューを作成し画面に表示するメニュー作成表示手段と、
前記表示されたメニューから選択された栞データに基づいて、該栞の位置まで再生前の映像データをジャンプさせ、その個所から映像データの再生を開始するデータ再生開始制御手段と、
を備えていることを特徴とする映像データ処理装置。
【請求項２】
前記栞データ抽出／記録手段は、
最初の映像データの再生開始時点から、外部からの栞位置指定がなされた時点までの経過時間と、フレーム数を計測し、その計測値を栞データとして記録媒体に記録することを特徴とする請求項１記載の映像データ処理装置。
【請求項３】
前記栞データ抽出／記録手段は、
再生した最初の映像データから、外部から指示された点の動画を静止画としてサムネイル画像を抽出し、このサムネイル画像を栞データとして記録媒体に記録することを特徴とする請求項１記載の映像データ処理装置。
【請求項４】
前記データ再生開始制御手段が前記栞をつけた部分、或いはその近辺にジャンプして再生を開始する際、栞をつけた画像近辺の画像パターン認識、輝度分布の比較、符号化ビットレートの比較、音声の比較のいずれかを行うことで栞部分の再生開始位置の微調整を行う再生開始位置微調整制御手段を備えていることを特徴とする請求項１記載の映像データ処理装置。
【請求項５】
前記記録媒体に記録された栞データを参照して栞一覧メニューを作成する栞メニュー作成手段と、
前記作成した栞メニューを画面に表示する栞メニュー表示手段と、
前記表示された栞メニューから選択された栞を基に、前記各栞の位置までそれぞれ再生前の映像データの位置をジャンプさせることで、複数の栞の位置から順番に映像データを再生する再生プログラムを作成する再生用プログラム作成手段と、
前記再生プログラムにより、複数の栞の位置からそれぞれ順番に順次再生を行うプログラム再生手段を備えていることを特徴とする請求項１記載の映像データ処理装置。
【発明の詳細な説明】
【技術分野】
【０００１】
本発明は、例えば、テレビジョン（以下、「ＴＶ」と記す）放送番組を録画した映像データ（音声データも含む））を各種機器（例えば、携帯型の映像データ処理装置）により録画再生する場合に利用される映像データ処理装置に関する。
【０００２】
本発明は、最近急速に伸びてきているディジタル映像を扱った記憶装置で、特に、携帯ビデオ関連での用途を主として考えているが、勿論、セットトップボックス、ディジタルビデオレコーダのプロ用、コンシューマ用に限らず、ディジタルコンテンツを扱う広い範囲の機器で利用することができる。
【０００３】
従来では、ＭＰＥＧ符号化は計算量が多いことと、アルゴリズムの関係上、コンシューマ用では扱いが困難だと言われてきたが、最近のＣＰＵの高速化により、ソフトウェアでもある程度のことは可能になってきており、利用分野は更に広まっている。
【背景技術】
【０００４】
(1) ：従来例１の説明
従来例１は、シーンチェンジなどで自動的にポイントを登録（例えば、サムネイルを登録）しておき、映像データの再生時に、前記登録しておいたサムネイルを利用するものである。
【０００５】
(2) ：従来例２の説明
図２７は従来例２の説明図であり、Ａ図は映像データ例、Ｂ図は映像データ処理装置の説明図である。
【０００６】
従来例２は図２７のＡ図のような映像データの処理を行う例である。この映像データは、例えば、ＴＶ番組を録画した映像データ（音声データも含む）であり、最初（１回目）の映像と２回目以降の映像とが図示されている。この場合、最初（１回目）の映像データの中から代表画像Ａ、Ｂ・・・のように代表画像を抽出し保存しておく。
【０００７】
この場合、代表画像Ａ、Ｂ等は、例えば、番組の切れ目等を自動検出し、その検出した代表画像を記憶しておくか、又は、再生した映像を画面で見たオペレータが代表画面を指定し、その代表画面を抽出して保存する。そして、２回目以降は、最初の代表画像を基に、新たに録画した映像データから、過去に保存しておいた最初の映像データの代表画面と一致する画像があるか否かを判定し、一致する画像があれば、その位置から再生を開始するというものである。
【０００８】
前記のことを実現するため、映像データ処理装置には、例えば、ＴＶ番組を録画する映像録画部１と、映像データから代表画像を抽出する代表画像抽出部２と、新旧代表画像が同じか否かを判定する新旧代表画像判定部３と、情報を表示する表示部４と、ハードディスク装置（「ＨＤＤ」と記す）５と、ＨＤＤ５内の代表画像を参照する代表画像参照部６と、新旧代表画像の比較を行う新旧代表画像比較部７と、映像データの制御を行う映像データ制御部８と、映像データを再生する映像再生部９等を備えている。
【０００９】
(3) ：従来例３
以下、特許文献１を従来例３として説明する。従来例３は、静止画記録部分と動画記録部分の混在するテープにおいて、特定の静止画のみを指定して検索できるようにＩＤ信号を記録するというものである。
【００１０】
(4) ：従来例４
以下、特許文献２を従来例４として説明する。従来例４は、映像中の重要な場面かどうかの判定とその範囲の特定とを簡便かつ高速に行うと共に、映像がどんな分野（ニュース、スポーツ中継等）に属するかを判定して分類し、ユーザの映像選択の一助となる情報として提供するというものである。
【００１１】
(5) ：従来例５
以下、特許文献３を従来例５として説明する。従来例５は、映像データの所定の部分のみの再生を制御する映像再生制御装置に関するものである。すなわち、膨大な容量の映像データから位置情報とその位置での静止画の一覧表を利用することにより、映像データの所定の部分のみの再生を制御するというものである。
【００１２】
(6) ：従来例６
以下、特許文献４を従来例６として説明する。従来例６は、テレビ映像静止画記録装置に関するものである。これは、テレビ放送の静止画だけを選別し、ＩＣに記録する装置である。この装置では、ビデオテープに録画することなく、放送の受信後に静止画像を取り出すことができるようにすることを目的としている。この目的達成のため、静止画像かどうかをチェックする部分と静止画像を記録する部分から構成されるＩＣである。
【特許文献１】特開平７−９８９６５号公報
【特許文献２】特開平９−６５２８７号公報
【特許文献３】特開平１１−１９６３８０号公報
【特許文献４】特開２０００−１０１９６７号公報
【発明の開示】
【発明が解決しようとする課題】
【００１３】
(1) ：従来例１は、シーンチェンジなどで自動的にポイントを登録（例えば、サムネイルを登録）するものがあったが、限界があった。
【００１４】
(2) ：従来例２では、機器で自動的にポイントを検索し、登録し、ユーザがそれを利用するというものである。しかしながら、機器が登録したポイントは必ずしもユーザが見たいポイントとは一致しないことが多かった。また、不必要なポイント登録が増え、ユーザにとっては煩わしいものになり、逆に混乱させる結果ともなっていた。
【００１５】
(3) ：従来例３は、静止画部分を検出し印を自動的に記録したものを再生し、所望の個所にインデックスを後打ち込みするというものである。しかし、従来例３には本発明の構成は記載されてなく、本発明の参考程度の内容である。
【００１６】
(4) ：従来例４は、映像がどんな分野（ニュース番組か、スポーツ番組か等）に属するかを判定することで、映像種類判定手段を持つというものである。しかし、従来例４には本発明の構成は記載されてなく、本発明の参考程度の内容である。
【００１７】
(5) ：従来例５は、ユーザ指示で再生個所の一覧表とマーク付けを行うというものである。しかし、従来例５には本発明の構成は記載されてなく、本発明の参考程度の内容である。
【００１８】
(6) ：従来例６は、テレビ放映の静止画面のみを記録する（レシピとスキット等だけが目的なら充分な機能ではあるが）というものである。しかし、従来例６には本発明の構成は記載されてなく、本発明の参考程度の内容である。
【００１９】
本発明は前記課題を解決し、映像データの番組内容が変わっても番組の構成が変わらないことを利用して、いつも見るポイントを即座に、かつ正確に探せるようにすることを目的とする。
【課題を解決するための手段】
【００２０】
本発明は前記の目的を達成するため、次のように構成した。
【００２１】
(1) ：音声データを含む映像データをディジタル化して記録媒体に格納し、該格納されたディジタルデータを再生する映像データ処理装置において、音声データを含む映像データを記録する記録媒体と、最初に記録した映像データから栞データを抽出し、その栞データを属性データと一緒に最初の映像データに添付して記録する栞データ抽出／記録手段と、前記属性データを参照して、２回目以降の映像データが、最初の映像データと同じ種類のデータか否かを判定する映像データ種類判定手段と、２回目以降の映像データが最初の映像データと同じ種類のデータであると判定した場合に、前記栞データを参照して表示メニューを作成し画面に表示するメニュー作成表示手段と、前記表示されたメニューから選択された栞データに基づいて、該栞の位置まで再生前の映像データをジャンプさせ、その個所から映像データの再生を開始するデータ再生開始制御手段とを備えていることを特徴とする。
【００２２】
(2) ：前記(1) の映像データ処理装置において、前記栞データ抽出／記録手段は、最初の映像データの再生開始時点から、外部からの栞位置指定がなされた時点までの経過時間と、フレーム数を計測し、その計測値を栞データとして記録媒体に記録することを特徴とする。
【００２３】
(3) ：前記(1) の映像データ処理装置において、前記栞データ抽出／記録手段は、再生した最初の映像データから、外部から指示された点の動画を静止画としてサムネイル画像を抽出し、このサムネイル画像を栞データとして記録媒体に記録することを特徴とする。      
【００２４】
(4) ：前記(1) の映像データ処理装置において、前記データ再生開始制御手段が栞をつけた部分、或いはその近辺にジャンプして再生を開始する際、栞をつけた画像近辺の画像パターン認識、輝度分布の比較、符号化ビットレートの比較、音声の比較のいずれかを行うことで栞部分の再生開始位置の微調整を行う再生開始位置微調整制御手段を備えていることを特徴とする。
【００２５】
(5) ：前記(1) の映像データ処理装置において、前記記録媒体に記録された栞データを参照して栞一覧メニューを作成する栞メニュー作成手段と、前記作成した栞メニューを画面に表示する栞メニュー表示手段と、前記表示された栞メニューから選択された栞を基に、前記各栞の位置までそれぞれ再生前の映像データの位置をジャンプさせることで、複数の栞の位置から順番に映像データを再生する再生プログラムを作成する再生用プログラム作成手段と、前記再生プログラムにより、複数の栞の位置からそれぞれ順番に順次再生を行うプログラム再生手段を備えていることを特徴とする。
【００２６】
（作用）
図１は本発明の原理説明図である。以下、図１に基づいて前記各構成の作用を説明する。
【００２７】
(a) ：前記(1) の作用    
栞データ抽出／記録手段（栞データ抽出部１６、栞データ記録部２３）は、最初に記録した映像データから栞データを抽出し、その栞データを属性データと一緒に最初の映像データに添付して例えば、ＨＤＤ５に記録する。映像データ種類判定手段（新旧結び付け処理部３３）は、ＨＤＤ５内の属性データを参照して、２回目以降の映像データが、最初の映像データと同じ種類のデータか否かを判定する。
【００２８】
次に、メニュー作成表示手段（メニュー作成部１０、制御部１４）は、映像データ種類判定手段が、２回目以降の映像データが最初の映像データと同じ種類のデータであると判定した場合に、ＨＤＤ５内の栞データを参照して表示メニューを作成し表示部４の画面に表示する。
【００２９】
データ再生開始制御手段（栞データ参照部２０、栞データ制御部２６、映像データ制御部８）は、表示されたメニューから選択された栞データに基づいて、該栞の位置まで再生前の映像データをジャンプさせ、その個所から映像データの再生を開始する。
【００３０】
(b) ：前記(2) の作用  
栞データ抽出／記録手段は、最初の映像データの再生開始時点から、外部からの栞位置指定（例えば、オペレータの指示）がなされた時点までの経過時間と、フレーム数を計測し、その計測値を栞データとして記録媒体に記録する。
【００３１】
(c) ：前記(3) の作用  
栞データ抽出／記録手段は、再生した最初の映像データから、外部から指示された点の動画を静止画としてサムネイル画像を抽出し、このサムネイル画像を栞データとして記録媒体に記録する。
【００３２】
(d) ：前記(4) の作用  
再生開始位置微調整制御手段は、データ再生開始制御手段が栞をつけた部分、或いはその近辺にジャンプして再生を開始する際、栞をつけた画像近辺の画像パターン認識、輝度分布の比較、符号化ビットレートの比較、音声の比較のいずれかを行うことで栞部分の再生開始位置の微調整を行う。
【００３３】
(e) ：前記(5) の作用  
栞メニュー作成手段は、記録媒体に記録された栞データを参照して栞一覧メニューを作成し、栞メニュー表示手段は前記作成した栞メニューを画面に表示する。次に、再生用プログラム作成手段は、表示された栞メニューから選択された栞を基に、前記各栞の位置までそれぞれ再生前の映像データの位置をジャンプさせることで、複数の栞の位置から順番に映像データを再生する再生プログラムを作成する。そして、プログラム再生手段は、再生プログラムにより、複数の栞の位置からそれぞれ順番に順次再生を行う。
【００３４】
以上のようにすれば、映像データの番組内容が変わっても番組の構成が変わらないことを利用して、いつも見るポイントを即座に、かつ正確に探せる。
【発明の効果】
【００３５】
本発明は、前記(1) 乃至(5) の構成により次のような効果がある。
【００３６】
(1) ：映像データ（音声データも含む）の番組内容が変わっても番組の構成が変わらないことを利用して、いつも見るポイントを即座に、かつ正確に探せる。
【００３７】
(2) ：近年、メモリ媒体を利用した携帯ビデオ機器が普及しはじめている。ユーザの見たい映像データ（音声データも含む）を如何に素早く見ることができるかが携帯ビデオ機器の差別化技術として求められているが、本発明の技術を使えば、携帯シーンで時間がなかなかとれない状態で、効率良く映像データを楽しめる。
【００３８】
また、英語番組などで試聴する場合、番組再生の最初だけ栞データを登録しておけば、２回目以降の映像データの再生時には自動で栞データから再生されていることになるので、煩わしさもなく快適に映像データを見ることができる。
【発明を実施するための最良の形態】
【００３９】
以下、本発明に係る映像データ処理装置を実施するための最良の形態について説明する。
【００４０】
§１：映像データと映像データ処理装置の概要
(1) ：映像、音声情報をディジタル化して特定の媒体（例えば、ハードディスク装置）に格納し、該格納されたディジタルデータを再生する映像データ処理装置（例えば、携帯型の映像・音声記録再生装置）において、ディジタルデータの種類が既に格納済みのデータと同じか否かを判断する手段と、ディジタルデータの再生時の再生時間を計測する手段と、ディジタルデータの再生時に特定の場所に栞（インデックス）を付ける手段と、栞をつけた部分、或いはその近辺にジャンプして再生を開始する手段等を備えている。
【００４１】
(2) ：前記映像データ処理装置において、ディジタルデータの種類は、例えば、テレビジョン番組の録画映像である。
【００４２】
(3) ：前記映像データ処理装置において、ディジタルデータの種類が既に特定の媒体（例えば、ハードディスク装置）に格納済みのデータと同じか否かを判断する手段として、放送波やインターネットによる番組案内情報であるＥＰＧ（Electronic Program Guide）の情報を利用してキーワード一致する場合を同じデータであると判断する手段を備えている。
【００４３】
(4) ：前記映像データ処理装置において、ディジタルデータの再生時の再生時間を計測する手段として、番組開始からの時間を計測することを特徴とする。
【００４４】
(5) ：前記映像データ処理装置において、ディジタルデータの再生時に特定の場所に栞を付ける手段として、番組開始からの経過時間とフレーム数を計測して記録したり、その時点での動画を静止画としてサムネイル画像を登録したりすることで、再生時にジャンプ先指定時に使用する。
【００４５】
(6) ：前記映像データ処理装置において、栞（インデックス）をつけた部分、或いはその近辺にジャンプして再生を開始する手段として、栞をつけた画像近辺の画像パターン認識、輝度分布の比較、符号化ビットレートの比較、音声データの比較のいずれかを行うことで栞部分の位置の微調整を行う。
【００４６】
(7) ：前記映像データ処理装置において、複数の栞を特定の順番に順次再生するプログラム再生を行う機能を備えている。
【００４７】
(8) ：前記映像データ処理装置において、前記ディジタル映像、音声、記録、再生を実現させるためのデータ構造及びディジタルデータを格納した記録再生メディアをネットワーク上で共有する。
【００４８】
(9) ：前記映像データ処理装置において、前記ディジタル映像、音声、記録、再生を実現させるためのデータ構造及びディジタルデータを記録再生メディアに格納する。
【００４９】
§２：ビデオ機器の動画閲覧方法等の説明
(1) ：本発明では、料理番組、教育番組、英会話番組等の場合は、番組の内容は変わっても番組構成が変わらないことを利用していることに特徴がある。例えば、前記のような番組では、シーンチェンジなどよりも特定の番組構成で放送される場合が多い。しかし、従来ではそのようなことを全く利用していなかった。そこで、本発明では、前記の特定の番組構成で放送されることが多いことを有効に利用している。
【００５０】
(2) ：ビデオ機器の動画閲覧をする際、ユーザの見たい映像をいかに素早く見ることができるかが携帯型ビデオ機器の差別化技術として求められている。携帯での試聴を主として考え、携帯環境で良く見られる料理番組、英語教育番組、英会話番組等を主な対象番組として考える。
【００５１】
例えば、料理番組であれば、(a) ：毎回時間は３０分、(b) ：番組が始まって２０分にレシピの紹介が始まる、等、これらの種類の番組は内容が変わっても番組の構成は同じである。この特徴を利用して次に（２回目以降）番組を見る時、効率良く試聴することができるようにする。このことを考慮し次のようにする。
【００５２】
１．１回目の再生時にユーザが指定して栞を付ける。
【００５３】
２．２度目からは、その栞をそのまま利用する。
【００５４】
３．多少のずれは、シーンチェンジ技術（色や輝度、ビットレートなど）の編集で修正可能にする。
【００５５】
４．ＭＯ（光磁気ディスク）などの記憶容量が少なく同じ番組を上書き書き込みするような用途にも利用可能であり、比較的記憶容量の大きいハードディスク装置でも利用可能にする。
【００５６】
５．番組内容が変わっても番組の構成が変わらないことを利用して、いつも見るポイントを即座に探せるようにする。
【００５７】
§３：映像データ処理装置の動作の特徴点
(1) ：一度だけ栞を設定しておくことで、次からは自動的にその画像位置をサーチできる。
【００５８】
最初だけは見たいポイントを探す場合、映像データを画面に表示させオペレータ等が手動で設定する。例えば、料理番組だとレシピが紹介されるポイント、料理の出来上がったポイント、などを手動で設定する。料理番組は構成が同じで同じ時間にレシピ、料理全体の出来上がった映像がでることが考えられる。２回目から同じ料理番組を録画した場合は、先に登録した栞をそのまま使用できる。２回目以降は自動設定されていることになる。      
【００５９】
(2) ：ユーザの見たいポイントだけが殆ど登録されている。ユーザが見たいポイントを再生しながら栞を作成するので、ポイントはほとんど登録される。従来のように見たくないポイントまで登録されてどれが本当に見たいかを探す手間が省ける。
【００６０】
(3) ：多少のポイントのずれがあったとしても、修正できる。番組の構成は変わらず番組の切れ目の時間は決まっているが、どうしても多少のばらつきがある場合がある。しかし、これも数秒から数分程度の時間のずれであり、その映像全体ではなくその近辺だけを検索すれば良く、見たいポイントが容易に見つかる。レシピの文字などのパターン認識、ビデオ静止画ポイントになるビットレートの低下などで判断する。
【００６１】
(4) ：見たいポイントを組み合わせたプログラム再生ができる。見たいポイントだけを集めたダイジェスト再生が容易にできる。レシピ部分だけを集めても良いし、料理の出来上がった映像だけを集めても良い。ニュース番組だと、冒頭のニュースフラッシュ部分だけを集めてニュースダイジェストにしても良い。
【００６２】
(5) ：他人と栞付きの映像データを共有できる。個人で作成した栞付きの映像データを他の機器で再生したり、他人と交換（例えば、ＨＤＤ５のデータの入ったＭＯ等の交換）することが可能になる。プログラム再生を使ったダイジェスト再生などをネットワークで共有すれば、ガイド付きの映像データを共有でき、一緒に映像データベースのように使用できる可能性が大である。
【００６３】
§４：本発明の更に詳細な内容の説明
(1) ：本発明の更に詳細な内容は次の通りである。
【００６４】
(a) ：録画した映像データの再生時間を計測し、特定の時間を栞として用いる。すなわち、料理番組や英会話番組等はいつも同じ構成である。構成が同じという意味は、料理番組であれば、レシピを出す時間は決まった時間になるということである。また、英会話の番組では、スキットの時間はいつも番組が始まって１分後、重要な表現は２０分後、まとめが２５分後というように毎週の番組で内容は変わっても構成が変わらないことを利用する。最初の映像データで栞を付けたら、２度目からは同じ番組であれば栞をそのまま使うことができる。
【００６５】
(b) ：データ再生を行う場合、プログラム再生も可能である。すなわち、栞を付けておくと、栞データで機器内の閉じた環境ならば、栞データを順番に再生するプログラム再生が容易に準備できる。また、ネットワークを介せば他人との栞付き映像データの共有も可能となる。
【００６６】
(c) ：２回目以降の番組録画で構成は変わらなくても、栞の開始時間に多少の時間差が生じる場合がある。多少のずれであれば、ユーザには許容範囲であることもあるが、厳密に時間調整したい場合がある。
【００６７】
このような場合、従来は、自動で見たいポイントを見つける方法として使用されてきたパターン認識（画面にレシピなどの文字に認識する）やシーンチェンジ、ビットレートの低下（静止画になったことによる）などで狭い範囲での探索では精度が向上し見つけやすい。これらの技術を使ってより使い易くできる。
【００６８】
(d) ：新データと既データには共に番組情報としての属性が備わっている。録画日や時間、チャンネル、番組名、キーワードなどである。近年、インターネットや放送波に番組情報を案内するＥＰＧ（Electronical Program Guide）がサービスされている。番組録画時にこのような番組属性を取得しておくことにより、容易に新データと既データの関連性が認識では、データの結び付けができる。
【００６９】
(e) ：既存データとしてデータＡからＣまであり、新データがＺとする。データＺとデータＡが同じ番組であることをユーザ自ら指定することにより既データ（旧データ）で抽出した栞を別のデータにも流用できる。
【００７０】
§５：例１の説明
(1) ：映像データ処理装置の説明
図２は例１の装置ブロック図である。例１の映像データ処理装置は、ＴＶチューナ１２と、時計１３と、制御部１４と、表示部４と、映像録画部１と、経過時間計測部１５と、栞データ抽出部１６と、操作部１８と、フレーム数カウント部１７と、映像再生部９と、ハードディスク装置（以下「ＨＤＤ」と記す）５と、映像データ制御部８と、栞データ参照部２０と、メニュー作成部１０等を備えている。
【００７１】
ＴＶチューナ１２はＴＶアンテナに接続されテレビジョン放送を受信するものである。時計１３は装置内部において時刻を計測するものである。制御部１４は装置内の各種制御や処理を行うもの（例えば、ＣＰＵ）である。表示部４は各種情報を画面に表示するもの（例えば、液晶表示パネル）である。
【００７２】
映像録画部１はＴＶチューナ１２で受信した放送の映像データを記録媒体（例えば、ＨＤＤ５）に録画する機器である。経過時間計測部１５は制御部１４の指示により時計１３を参照して映像データの開始時からの経過時間を計測するものである。栞データ抽出部１６はＨＤＤ５に格納された最初の映像データの再生映像データから栞データを抽出するものである。この場合、最初の映像データを再生し、表示部４の画面に表示してオペレータ等の指示を与えることで栞データを作成する。
【００７３】
操作部１８はオペレータ等が各種操作を行うためのものであり、操作ボタン等を備えている。フレーム数カウント部１７は最初の映像データの開始からのフレーム数をカウントするものである。映像再生部９はＨＤＤ５から映像データを取り出し再生するものである。ＨＤＤ５はデータを格納するものである。映像データ制御部８はＨＤＤ５から読み出した映像データの再生時の制御を行うものである。栞データ参照部２０はＨＤＤ５内の栞データを参照するものである。メニュー作成部１０はＨＤＤ５の栞データ等を取り出しメニューを作成するものである。なお、前記作成したメニューは制御部１４の制御により表示部４の画面に表示する。
【００７４】
(2) ：処理の説明
図３は例１の処理説明図であり、Ａ図は最初の映像データ、Ｂ図は２回目以降の映像データである。以下、図２を参照しながら図３に基づいて例１の処理を説明する。
【００７５】
(a) ：最初（１回目）の映像データは図３のＡ図のようになっていたとする。この最初の映像データに関して、オペレータ等により栞画像Ａ、Ｂ等が栞画像として指示されると、映像開始からその時点までの経過時間とフレーム数をカウントする。そして、映像の開始から栞画像までの経過時間とフレーム数を栞データとして、この栞データを最初（１回目）の映像データに添付しＨＤＤ５に格納しておく。
【００７６】
(b) ：２回目以降の録画した映像データは一旦ＨＤＤ５に格納した後、ＨＤＤ５から取り出した２回目以降の映像データを再生する場合、予め栞データの指定があれば、その栞データの位置まで映像データをジャンプさせ、該当する栞の位置から映像データの再生を開始する。    
【００７７】
(3) ：例１のフローチャートによる処理の説明
(a) ：１回目の映像データの処理
図４は例１の処理フローチャート（１回目）である。以下、図４に基づいて、例１の１回目の映像データに関する処理を説明する。なお、図４において、Ｓ１〜Ｓ８は各処理ステップを示す。また、以下の説明で使用するオペレータは本装置を操作する人の意味であり、ユーザと同じ場合が多い。
【００７８】
先ず、制御部１４の指示により映像録画部１がＴＶチューナ１２からの信号を基に、１回目のＴＶ番組の録画を開始する（Ｓ１）。そして映像録画部１は録画した番組のデータ（１回目の映像データ＋音声データ）をハードディスク装置（以降「ＨＤＤ」と記す）に格納する（Ｓ２）。次に、制御部１４は録画終了か否かを判断し（Ｓ３）、録画終了にならなければＳ２の処理へ移行し、録画終了になれば、再生指示はあるかを判断する（Ｓ４）。
【００７９】
このようにして制御部１４はオペレータ等からの再生指示を待ち、再生指示があれば、再生映像抽出部２５がＨＤＤ５から録画データを取り出し、映像再生部９が再生する（Ｓ５）。この時、オペレータからの栞作成指示有りかを判断し（Ｓ６）、栞作成指示がなければＳ５の処理を継続して行い、栞作成指示有りであれば、制御部１４の指示により、フレーム数カウント部１７と経過時間計測部１５が映像開始時点からその時までの映像のフレーム数と、経過時間を計測する。
【００８０】
そして、栞データ抽出部１６は前記計測値を栞データとして抽出する。そして、栞データ記録部２３は前記栞データをＨＤＤ５に格納する（Ｓ７）。この場合、栞データは１回目（最初）の映像データに添付しておく。また、この時、制御部１４の制御により、最初の映像データの属性データを入力し、前記栞データに加えて最初の映像データに添付しておく。
【００８１】
次に、制御部１４は最後まで終了したか否かを判断し（Ｓ８）、最後まで終了していなければＳ５の処理へ移行し、最後まで終了したらこの処理を終了する。
【００８２】
(b) ：２回目以降の映像データの処理
図５は例１の処理フローチャート（２回目以降）である。以下、図５に基づいて、例１の２回目以降の映像データに関する処理を説明する。なお、図５において、Ｓ１１〜Ｓ２０は各処理ステップを示す。
【００８３】
先ず、制御部１４の指示により、映像録画部１は２回目（それ以降も同じ）のＴＶ番組の録画を開始する（Ｓ１１）。次に、映像録画部１は録画した番組のデータ（映像データ＋音声データ）をＨＤＤ５に格納する（Ｓ１２）。そして、制御部１４は録画終了か否かを判断し（Ｓ１３）、録画終了にならなければＳ１２の処理へ移行し、録画終了になれば、オペレータ等からの再生指示はあるかを判断する（Ｓ１４）。
【００８４】
この時、再生指示があるのを待ち、オペレータ等の再生指示が有れば、再生映像抽出部２５はＨＤＤ５から栞データ（１回目の映像データに添付してある栞データ）を取り込む（Ｓ１５）。そして、メニュー作成部１０はＨＤＤ５からの栞データを参照し、一覧メニューを作成する。そして、制御部１４の制御により表示部４の表示画面に前記作成したメニューを表示する（Ｓ１６）。
【００８５】
次に、制御部１４はオペレータにより表示されたメニューの選択が行なわれたか否かを判断し（Ｓ１７）、オペレータによりメニューの選択が行なわれたら、栞データ参照部２０がＨＤＤ５の栞データを参照する。次に、栞データ制御部２６は、前記抽出された２回目以降の映像データの選択された栞の所までジャンプさせ、映像データ制御部８がジャンプした個所から映像の再生を開始する（Ｓ１８）。
【００８６】
次に、制御部１４は、オペレータ等から他のメニューに戻る指示は有るか否かを判断し（Ｓ１９）、他のメニューに戻る指示があれば、Ｓ１６の処理へ移行し、他のメニューに戻る指示がなければ、再生を続行し（Ｓ２０）、この処理を終了する。
【００８７】
§６：例２の説明
(1) ：映像データ処理装置の説明
図６は例２の装置ブロック図である。例２の映像データ処理装置は、ＴＶチューナ１２と、制御部１４と、表示部４と、映像録画部１と、栞画像抽出部２４と、操作部１８と、映像再生部９と、ハードディスク装置（以下「ＨＤＤ」と記す）５と、メニュー作成部１０と、映像データ制御部８と、栞データ参照部２０と、再生映像抽出部２５と、栞画像比較判定部２７等を備えている。
【００８８】
ＴＶチューナ１２はＴＶアンテナに接続され、テレビジョン放送番組（映像データ＋音声データ）を受信するものである。制御部１４は、装置内の各種制御や処理を行うもの（例えば、ＣＰＵ）である。表示部４は各種情報を画面に表示するもの（例えば、液晶表示パネル）である。
【００８９】
映像録画部１は、ＴＶチューナ１２で受信した放送番組の映像データを記録媒体（例えば、ＨＤＤ５）に録画するものである。栞画像抽出部２４は表示部４の画面に表示した映像データからオペレータ等が指示した栞画像を最初の映像データから抽出するものである。操作部１８はオペレータ等が操作するためのものであり、操作用のスイッチや操作キー等が設けてある。
【００９０】
映像再生部９は映像データ制御部８の制御により映像データを再生するものである。ＨＤＤ５は各種データを格納するものであり、この例では、最初の映像データ、２回目以降の映像データ、最初の映像データに添付した栞データ＋属性データ等を格納する。メニュー作成部１０は制御部１４の指示により、ＨＤＤ５内の最初の映像データに添付した栞データや属性データを参照して表示部４の画面に表示するためのメニーを作成するものである。
【００９１】
栞データ参照部２０はＨＤＤ５内の栞データを参照するものである。再生映像抽出部２５は、制御部１４から指示された再生映像データをＨＤＤ５から抽出するものである。栞画像比較判定部２７は栞データ参照部２０から栞画像を受け取り、再生映像抽出部２５が抽出した映像データから栞画像があるかないかを比較判定し、その結果を映像データ制御部８へ通知するものである。
【００９２】
映像データ制御部８は、栞画像比較判定部２７の判定結果に基づき、再生映像抽出部２５がＨＤＤ５から抽出した映像データを制御（栞画像の位置までジャンプさせる等）するものである。
【００９３】
(2) ：処理の説明
図７は例２の処理説明図であり、Ａ図は最初の映像データ、Ｂ図は２回目以降の映像データである。以下、図７に基づいて例２の処理を説明する。
【００９４】
(a) ：最初の映像データは図７のＡ図のようになっていたとする。この最初の映像データは、画面に表示し、オペレータ等が指示を出すことで決める。そして、オペレータ等の指示に基づいて、再生された最初（１回目）の映像データから栞画像Ａ、栞画像Ｂ等を抽出し栞データとしてＨＤＤ５内の最初の映像データに添付して記録する。
【００９５】
(b) ：２回目以降の映像データを一旦ＨＤＤ５に格納した後、ＨＤＤ５から取り出した２回目以降の映像データを再生する場合、栞データとして記録されている栞画像を抽出し、指示された栞画像の位置まで映像データをジャンプさせ、該当する栞画像の位置から映像データを再生する。    
【００９６】
(3) ：例２の１回目（最初）の映像データ録画時の処理
図８は例２の処理フローチャート（１回目）である。以下、図８に基づいて、例２の１回目（最初）の映像データに関する処理を説明する。なお、図８において、Ｓ３１〜Ｓ３８は各処理ステップを示す。
【００９７】
先ず、制御部１４の指示により映像録画部１が１回目のＴＶ番組の録画を開始する（Ｓ３１）。次に、映像録画部１は録画した番組のデータ（１回目の映像データ＋音声データ）をＨＤＤ５に格納する（Ｓ３２）。そして、制御部１４は録画終了か否かを判断し（Ｓ３３）、録画終了にならなければＳ３２の処理へ移行し、録画終了になれば、再生指示はあるかを判断する（Ｓ３４）。
【００９８】
このようにして再生指示を待ち、再生指示があれば、制御部１４の指示により再生映像抽出部２５はＨＤＤ５から録画データを取り出し映像再生部９が再生する（Ｓ３５）。この時、制御部１４は、画面に表示された映像データを見たオペレータからの栞作成指示有りかを判断する（Ｓ３６）。
【００９９】
その結果、オペレータからの栞作成指示がなければＳ３５の処理を継続して行い、栞作成指示有りであれば、制御部１４の指示により栞画像抽出部２４が表示された最初の映像データから、指示された部分の画像（例えば、サムネイル画像）を栞画像として抽出し栞データ記録部２３が前記抽出した栞画像を栞データとしてＨＤＤ５に格納する。この時、最初の映像データに栞データを添付しておく。また、前記栞データと一緒に映像データの属性データ（番組の放送日時、番組名等）も添付しておく。
【０１００】
次に、制御部１４は最後まで終了したか否かを判断し（Ｓ３８）、最後まで終了していなければＳ３５の処理へ移行し、最後まで終了したらこの処理を終了する。
【０１０１】
(4) ：例２の２回目以降の映像データ再生時の処理
図９は例２の処理フローチャート（２回目以降）である。以下、図９に基づいて、例２の２回目以降の映像データに関する処理を説明する。なお、図９において、Ｓ４１〜Ｓ５０は各処理ステップを示す。
【０１０２】
先ず、制御部１４の指示により２回目のＴＶ番組の録画を開始する（Ｓ４１）。次に、映像記録部１は録画した番組のデータ（２回目の映像データ＋音声データ）をＨＤＤ５に格納する（Ｓ４２）。そして、制御部１４は録画終了か否かを判断し（Ｓ４３）、録画終了にならなければＳ４２の処理へ移行し、録画終了になれば、オペレータ等からの再生指示はあるかを判断する（Ｓ４４）。
【０１０３】
このようにして再生指示を待ち、再生指示があれば、制御部１４の指示によりメニュー作成部１０はＨＤＤ５から栞データとして格納されている栞画像を取り込み（Ｓ４５）、この栞画像を基に一覧メニューを作成する。次に、制御部１４の制御により表示画面にメニューを表示する（Ｓ４６）。次に、制御部１４はオペレータによりメニューの選択が行なわれたか否かを判断し（Ｓ４７）、メニュー選択がされるのを待つ。
【０１０４】
その後、オペレータによりメニュー選択が行なわれたら、制御部１４の指示により再生映像抽出部２５がＨＤＤ５から２回目以降の映像データを抽出し、栞データ参照部２０がＨＤＤ５内の栞データを参照し、栞画像比較判定部２７が、栞画像の比較判定を行い、その結果を基に、映像データ制御部８が選択された栞画像の位置までジャンプさせ、そこから映像再生部９が映像データの再生を開始する（Ｓ４８）。
【０１０５】
そして、制御部１４はオペレータ等からの他のメニューに戻る指示はあるか否かを判断し、指示があればＳ４６の処理へ移行するが指示がなければ最後まで再生を続行し、この処理を終了する。
【０１０６】
§７：例３の説明
(1) ：映像データ処理装置の説明
図１０は例３の装置ブロック図である。例３の映像データ処理装置は、ＴＶチューナ１２と、制御部１４と、表示部４と、映像録画部１と、栞データ抽出部１６と、栞データ記録部２３と、操作部１８と、映像再生部９と、ハードディスク装置（以下「ＨＤＤ」と記す）５と、メニュー作成部１０と、映像データ制御部８と、栞データ参照部２０と、再生映像抽出部２５と、栞位置制御部３０等を備えている。
【０１０７】
ＴＶチューナ１２は、ＴＶアンテナに接続され、テレビジョン放送番組（映像データ＋音声データ）を受信するものである。制御部１４は装置内の各種制御や処理を行うもの（例えば、ＣＰＵ）である。表示部４は各種情報を画面に表示するもの（例えば、液晶表示パネル）である。
【０１０８】
映像録画部１はＴＶチューナ１２で受信した放送番組の映像データを記録媒体（例えば、ＨＤＤ５）に録画する機器である。栞データ抽出部１６は、前記例１の栞データ抽出部１６の機能と、例２の栞画像抽出部２４の機能を併せ持つものである。操作部１８は、オペレータ等が操作するためのものであり操作用のスイッチや操作キー等が設けてある。
【０１０９】
映像再生部９は映像データ制御部８の制御により映像データを再生するものである。ＨＤＤ５は各種データを格納するものであり、この例では、最初の映像データ、２回目以降の映像データ、最初の映像データに添付した栞データ＋属性データ等を格納する。メニュー作成部１０は制御部１４の指示により、ＨＤＤ５内の最初の映像データに添付した栞データや属性データを参照して表示部４の画面に表示するためのメニーを作成するものである。
【０１１０】
栞データ参照部２０はＨＤＤ５内の栞データを参照するものである。再生映像抽出部２５は、制御部１４から指示された再生映像データをＨＤＤ５から抽出するものである。栞位置制御部３０は、栞データ参照部２０が参照した栞データに基づき、再生映像抽出部２５が抽出した映像データの栞位置を制御（微調整の制御等）するものである。
【０１１１】
映像データ制御部８は、栞位置制御部３０からの情報に基づき、再生映像抽出部２５がＨＤＤ５から抽出した映像データを制御（栞データの位置付近へジャンプさせ、栞位置の微調整等を行うものである。
【０１１２】
(2) ：処理の説明
図１１は例３の処理説明図であり、Ａ図は最初の映像データ、Ｂ図は２回目以降の映像データである。以下、図１１に基づいて例３の処理を説明する。例３は、前記例１、例２の栞データを基に、栞位置の微調整を行う例である。
【０１１３】
(a) ：１回目（最初）の映像データは図１１のＡ図のようになっていたとする。この最初の映像データを基に、前記例１、例２の栞データを抽出し、ＨＤＤ５に記録する。この時、１回目（最初）の映像データと、この映像データに栞データ及び属性データを添付しておく。
【０１１４】
すなわち、例３の栞データ＝（映像の開始から栞画像までの経過時間とフレーム数）＋（栞画像）＝例１の栞データ＋例２の栞画像）である。また、ＨＤＤ５への保存データ＝例１の栞データ＋例２の栞データ（栞画像）＋属性データであり、この保存データを１回目（最初）の映像データに添付しておく。
【０１１５】
(b) ：２回目以降の映像データを一旦ＨＤＤ５に格納した後、ＨＤＤ５から取り出した２回目以降の映像データを再生する場合、栞データを用いて位置の微調整を行う（詳細は後述する）。
【０１１６】
(3) ：例３の１回目（最初）の映像データ録画時の処理
例３の１回目（最初）の映像データ録画時の処理は、前記例１及び例２と同じである。従って、例３の１回目（最初）の処理は省略する。
【０１１７】
(4) ：例３の２回目以降の映像データ再生時の処理
図１２は例３の処理フローチャート（２回目以降）（その１）、図１３は例３の処理フローチャート（２回目以降）（その２）である。以下、図１２、図１３に基づいて、例３の２回目以降の映像データに関する処理を説明する。なお、図１２、図１３において、Ｓ６１〜Ｓ７６は各処理ステップを示す。
【０１１８】
先ず、制御部１４の指示により映像録画部１は２回目のＴＶ番組の録画を開始する（Ｓ６１）。次に、映像録画部１は録画した番組のデータ（２回目の映像データ＋音声データ）をＨＤＤ５に格納する（Ｓ６２）。そして、制御部１４は録画終了か否かを判断し（Ｓ６３）、録画終了にならなければＳ６２の処理へ移行し、録画終了になれば、オペレータ等からの再生指示はあるかを判断する（Ｓ６４）。
【０１１９】
このようにして再生指示を待ち、再生指示があれば、制御部１４の指示によりメニュー作成部１０はＨＤＤ５から栞データを取り込み（Ｓ６５）、この栞データ画像を基に、一覧メニューを作成する。そして制御部１４の制御により表示画面にメニューを表示する（Ｓ６６）。次に、制御部１４はオペレータによりメニューの選択が行なわれたか否かを判断し（Ｓ６７）、メニュー選択がされるのを待つ。
【０１２０】
その後、オペレータによりメニュー選択が行なわれたら、制御部１４の指示により、栞データ参照部２０がＨＤＤ５から栞データを参照し、再生映像抽出部２５がＨＤＤ５から再生映像データを抽出し、栞位置制御部３０が選択された栞の位置を例１の栞データを用い、ｐ±Δｐの誤差範囲で計算し（Ｓ６８）、サーチ位置までサーチを開始する（Ｓ６９）。
【０１２１】
そして、栞位置制御部３０はサーチ位置が見つかったか否かを判断し（Ｓ７０）、見つかったら、映像データ制御部８は栞位置制御部３０からの情報により前記サーチした位置から映像データの再生を開始する（Ｓ７１）。次に、制御部１４はオペレータからの他のメニューに戻る指示はあるかを判断し（Ｓ７２）、指示があれば、Ｓ６６の処理へ移行し、指示がなければ再生を続行する（Ｓ７３）。その後、制御部１４は映像データの再生が最後になればこの処理を終了する。
【０１２２】
また、前記Ｓ７０の処理において、栞位置制御部３０はサーチした位置が見つからなかった時は、サーチした位置を例２の栞画像で微調整する（Ｓ７４）。そして、栞位置制御部３０は誤差範囲のｐ±Δｐを超えたか否かを判断し（Ｓ７５）、超えなければ、Ｓ６９の処理へ移行し、超えたら制御部１４へ報告し制御部１４がエラー処理を行なって（Ｓ７６）この処理を終了する。
【０１２３】
§８：例４の説明
(1) ：映像データ処理装置の説明
図１４は例４の装置ブロック図である。例４の映像データ処理装置は、ＴＶチューナ１２と、制御部１４と、表示部４と、映像録画部１と、栞データ抽出部１６と、栞データ記録部２３と、操作部１８と、映像再生部９と、ハードディスク装置（以下「ＨＤＤ」と記す）５と、メニュー作成部１０と、映像データ制御部８と、栞データ参照部２０と、再生映像抽出部２５と、栞データ制御部２６と、新旧結び付け処理部３３等を備えている。
【０１２４】
前記新旧結び付け処理部３３は、ＨＤＤ５に格納されている映像データに関して、新旧映像データ、すなわち、１回目（最初）の映像データ（旧データ）と２回目以降の映像データ（新データ）が同じ種類のものか否かを判断するものである。例えば、１回目の映像データと２回目の映像データが同じ種類のデータか否かを判断し、同じであれば、１回目の映像データに添付してある栞データや属性データが、２回目の映像データに対して栞として使用できると判断する。
【０１２５】
なお、この新旧結び付け処理部３３は、前記例１、例２、例３の映像データ処理装置において２回目以降の映像データの再生を行う際には必ず必要なものである。従って、前記各例の装置にも、新旧結び付け処理部３３は必ず備えているが、前記例１、例２、例３では、新旧結び付け処理部３３の図示は省略してある。また、前記の他の各部は、例１乃至例３と同じである。
【０１２６】
(2) ：番組の結び付け処理
図１５は番組の結び付け処理フローチャートである。以下、図１５に基づいて、番組の結び付け処理を説明する。なお、図１５において、Ｓ８１〜Ｓ８６は各処理ステップを示す。また、前記の説明では新旧結び付け処理部３３は、「新旧データが同じ種類のものか否かを判断」しているが、具体的には、「新旧データが同じ構成のものか否かを判断」するものである。
【０１２７】
この処理を行う際、例１、例２の方法で１回目（最初）の映像データがＨＤＤ５に格納され、栞データと属性データが添付されているものとする。この状態で、新規番組の録画を行い（Ｓ８１）、録画した映像データをＨＤＤ５に格納する（Ｓ８２）。
【０１２８】
次に、メニュー作成部１０はＨＤＤ５から栞データ（最初の映像データに添付された栞データ）を取り出し、新旧映像データ（番組）を結び付けるためのメニューを作成する（Ｓ８３）。そして、制御部１４は前記作成したメニューを表示部４の画面に表示する（Ｓ８４）。
【０１２９】
次に、制御部１４は新旧映像データで同じ構成のものが選択されたか否かを判断し（Ｓ８５）、該当する画像がなければこの処理を終了するが、同じ種類（同じ構成）のものが選択されたと判断したら、サーチを開始し（Ｓ８６）、この処理を終了する。なお、Ｓ８６の処理以降は、前記例１乃至例３の処理へ移行する。
【０１３０】
このように、図１５の処理は、前記例１乃至例３の処理において、２回目以降の映像データを再生する前に必ず行う処理である。そして、新旧映像データが同じ種類（同じ構成）であれば、２回目以降の映像データを再生する際に、最初（１回目）の映像データから取得した栞データが使用できることになる。
【０１３１】
§９：プログラム再生の説明
(1) ：再生用プログラムの作成処理
図１６は再生用プログラムの作成処理フローチャートである。以下、図１６に基づいて、再生用プログラムの作成処理を説明する。なお、図１６において、Ｓ９１〜Ｓ９７は各処理ステップを示す。また、この処理を行う際、例１、例２の方法で最初の映像データと栞データがＨＤＤ５に格納された状態になっているものとする。
【０１３２】
先ず、メニュー作成部１０はＨＤＤ５から栞データを取り出し（Ｓ９１）、栞データから栞一覧メニューを作成する（Ｓ９２）。次に、制御部１４は栞一覧メニューを表示部４の表示画面に表示する（Ｓ９３）。この表示画面を見たユーザがプログラム再生用に栞を選択すると、制御部１４はその栞データを入力（装置内部に取り込み）し（Ｓ９４）、更に選択する栞があるか否かを判断する（Ｓ９５）。
【０１３３】
その結果、更に選択する栞があれば、Ｓ９４の処理へ移行し、更に選択する栞がなければ、再生用プログラム作成部３５は、制御部１４の指示によりユーザが選択した栞データを用いて再生用のプログラム（複数の栞をオペレータが選択した順序でつなぎ合わせたプログラム）を作成する（Ｓ９６）。次に、制御部１４は作成したプログラムをＨＤＤ５に格納し（Ｓ９７）、この処理を終了する。        
【０１３４】
(2) ：プログラム再生時の処理
図１７はプログラム再生処理フローチャートである。以下、図１７に基づいてプログラム再生処理を説明する。なお、図１７において、Ｓ１０１〜Ｓ１０６は各処理ステップを示す。また、この処理を開始するに際し、過去に、映像データ、再生用プログラム等がＨＤＤ５に格納された状態であるとする。
【０１３５】
先ず、メニュー作成部１０はＨＤＤ５から録画済み映像データに添付された栞データを取り出し（Ｓ１０１）、栞データから再生用のメニューを作成する（Ｓ１０２）。次に、制御部１４は再生用のメニューを表示部４の画面に表示する（Ｓ１０３）。そして、表示されたメニューからオペレータ等により選択されたデータ（オペレータ等が選択したデータ）を入力（装置内部に取り込み）し（Ｓ１０４）、入力したデータに基づき、プログラム再生部３６は、映像データのプログラム再生を開始する（Ｓ１０５）。そして、映像データのプログラム再生は終了したか否かを判断し（Ｓ１０６）、終了しなければＳ１０５の処理へ移行し、終了したらこの処理を終了する。
【０１３６】
なお、前記プログラム再生は、複数の栞位置まで順次ジャンプさせながら、指定された順序で各栞位置から順次映像データを再生する処理である。
【０１３７】
§１０：前記処理の具体例による説明
以下、前記処理を具体例により説明する。
【０１３８】
(1) ：ＥＰＧによる映像データの結び付けの説明
図１８はＥＰＧによる映像データの結び付けの説明図である。以下、図１８に基づき、ＥＰＧによる映像データの結び付けを説明する。
【０１３９】
前記新旧結び付け処理部３３（図１４参照）は、新映像データ（新データ）の番組と旧映像データ（旧データ）の番組の結び付け処理を行う。この処理では、例えば、ＨＤＤ５には最初の映像データに属性データが添付されており、この属性データとして、例えば、ＥＰＧ（Electronic Program Guide）を予め含ませておく。このようにすれば、ＥＰＧによる映像データの結び付けが可能になる。
【０１４０】
図１８の例では、ＴＶ番組の映像データが新旧とも、録画日や録画時間は相違するが、両者共に、３チャンネルの「今日の料理」であり、同じ構成の番組であると判断できる。すなわち、前記新旧結び付け処理部３３は、新旧映像データの番組が「今日の料理」（料理番組）であり、同じ構成の番組であると判断できる。従って、この場合は、新データの再生時には、旧データに添付されていた栞データを用いて再生することができることになる。
【０１４１】
(2) ：ユーザによる映像データの結び付けの説明
図１９はユーザによる映像データの結び付けの説明図である。以下、図１９に基づき、ユーザによる映像データの結び付けを説明する。
【０１４２】
この例は、既存データとしてデータＡ（今日の料理）、Ｂ（７時のニュース）、Ｃ（ＮＨＪスポーツニュース）があり、新データがＺ（今日の料理）とする。この場合データＺとデータＡが同じ番組であることをユーザが指定することで、旧データで抽出した栞データを別のデータにも使用できる例である。
【０１４３】
(3) ：時間の計測方法及び栞データの付け方の説明
図２０は経過時間の計測方法と栞の付け方の説明図である。以下、図２０に基づき、経過時間の計測方法（例１参照）と栞の付け方を説明する。
【０１４４】
この例では、料理番組の開始点を０分００秒（０．００）としている。料理の全体映像が映るのが開始５分（５．００）でサムネイルを取得しておく。続いて、開始から１５分後（１５．００）に、レシピの紹介がある。ユーザは、最初に録画したものをＨＤＤ５に格納する時だけ、このような後で見たいポイントをユーザ自ら栞として取っておく。また、時間（番組の開始点からの経過時間）を記憶しておき、映像としてサムネイル静止画を取得しておけば、後ほどポイントの指定がし易い。
【０１４５】
(4) ：栞のずれと微調整の説明
図２１は栞のずれと微調整の説明図である。以下、図２１に基づき、栞のずれと微調整について説明する。
【０１４６】
番組の構成が同じでも多少のずれが生じることがある。このように、多少のずれが生じた場合を図２１に図示してある。図２１の例では、本日の料理をどちらも録画したものであるが、前回に比較して、全体の録画時間は２０分で同じであるが、（時間枠は変わらないので当然）、１１月９日分が１１月２日分に比べて、料理の全体映像が出るのが１０秒、レシピの説明があるのが５秒、それぞれ遅くなっている。
【０１４７】
これらをそのままでも数秒であればユーザによって待てる範囲内であるが、どうしても微調整してぴったし合わせたいとの要求もある。その場合、パターン認識、静止画の検索、ビットレートの検知等を用いることが考えられる。
【０１４８】
(5) ：プログラム再生の説明
図２２はプログラム再生の説明図（その１）、図２３はプログラム再生の説明図（その２）である。以下、図２２、図２３に基づき、プログラム再生（複数の栞を特定の順番に順次再生）について説明する。
【０１４９】
図２２は、プログラム再生１の例では、データＡからデータＣ（料理番組の映像データ）までのデータがＨＤＤ５に既に格納済みであるとした場合、それぞれ既にある栞１〜ｎを基にプログラム再生を行う。Ａ−１、Ａ−２は、例えば、料理の全体映像からレシピまでの映像である、Ｂ−１、Ｂ−２、Ｃ−２と続けることで、３週間分の料理番組のダイジェクトをまとめて見ることができる。また、プログラム再生２、プログラム再生３等でも同様にしてプログラム再生を行う。
【０１５０】
また、図２３の例は、栞データでスタートポイントを示し、再生時間は別に指定する方法を示している。この例でも、プログラム再生１では、Ａ−１（５秒再生）→Ａ−２（５秒再生）→Ｂ−１（５秒再生）→Ｂ−２（５秒再生）→Ｃ−１（５秒再生）→・・・のようにプログラム再生を行う。更に、プログラム再生２、プログラム再生３等でも同様にしてプログラム再生を行う。
【０１５１】
(6) ：利用シーンの説明
図２４は利用シーンの説明図である。利用シーンとしては、例えば、(a) のように、携帯ビデオ機器を持って電車等に乗り、英語番組を見ている。また、(b) のように、家庭内で料理番組を見ながら料理等の作業をしている。また、(c) のように、栞付き番組を他人と交換して利用するようなことが考えられる。
【０１５２】
(7) ：映像データ処理装置の利用時の説明
図２５は映像データ処理装置の利用時の説明図である。以下、図２５に基づき、映像データ処理装置の利用時の説明をする。
【０１５３】
例えば、図２５では、１回目（最初）の映像データから栞データを作成するが、この場合、例えば、次のようにして作成する。
【０１５４】
(a) ：図２５の上矢印（↑）部分を栞データとする。
【０１５５】
(b) ：１回目（最初）の映像データを録画する時だけは、ユーザ自身が栞を登録する。      
【０１５６】
(c) ：２回目以降の録画時には、登録してある栞データをそのまま利用できる。
【０１５７】
(d) ：栞付き番組を他人と交換して利用する。
【０１５８】
§１１：具体的な装置例と記録媒体の説明
図２６は具体的な装置例である。前記映像データ処理装置は、図２６に示した構成の装置で実現することができる。この装置は、映像データ処理装置本体４１と、該映像データ処理装置本体４１に接続された表示部４、操作部１８、リムーバブルディスクドライブ（「ＲＤＤ」という）４４、ハードディスク装置（ＨＤＤ）５等で構成されている。
【０１５９】
そして、前記映像データ処理装置本体４１には、内部の各種制御や処理を行うＣＰＵ４６と、プログラムや各種データを格納しておくためのＲＯＭ（不揮発性メモリ）４７と、メモリ４８と、インタフェース制御部（「Ｉ／Ｆ制御部」という）４９と、通信制御部５０等が設けてある。なお、前記ＲＤＤ４４には、フレキシブルディスクドライブや光ディスクドライブ等が含まれる。
【０１６０】
前記構成の装置において、例えば、前記ＲＯＭ４７、或いはＨＤＤ５の磁気ディスク（記録媒体）に、前記映像データ処理装置の処理を実現するためのプログラムを格納しておき、このプログラムをＣＰＵ４６が読み出して実行することにより、前記映像データ処理装置の処理を実行する。
【０１６１】
しかし、本願発明は、このような例に限らず、例えば、ＨＤＤ５の磁気ディスクに、次のようにしてプログラムを格納し、このプログラムをＣＰＵ４６が実行することで前記処理を行うことも可能である。
【０１６２】
(a) ：他の装置で作成されたリムーバブルディスクに格納されているプログラム（他の装置で作成したプログラムデータ）を、ＲＤＤ４４により読み取り、ＨＤＤ５の記録媒体に格納する。
【０１６３】
(b) ：携帯機器等に利用可能な無線通信回線を介して他の装置から伝送されたプログラム等のデータを通信制御部５０を介して受信し、そのデータをＨＤＤ５の記録媒体（磁気ディスク）に格納する。
【０１６４】
§１２：その他の説明
(1) ：本発明の映像データ処理装置は、携帯型のビデオ機器や、携帯以外の各種装置でも使用可能である。しかし、携帯型のビデオ機器等の場合には、より大きな効果が期待できる。
【０１６５】
(2) ：映像データ処理装置は、携帯電話機、専用の携帯型ビデオ機器等で使用すれば、特に利用効果が大きい。
【０１６６】
(3) ：映像データや栞データ、属性データを記録する記録媒体は、ＭＯ等の小容量の記録媒体、或いは半導体メモリ等でも使用可能である。
【０１６７】
(4) ：前記ＴＶチューナ１２は、映像データ処理装置内になくても実施可能である。この場合、ＴＶチューナ１２を外部の装置に備えておき、映像データ処理装置内の映像録画部１にケーブルにより接続できれば良い。
【０１６８】
§１３：付記
前記の説明に対し次の構成を付記する。
【０１６９】
（付記１）          
音声データを含む映像データをディジタル化して記録媒体に格納し、該格納されたディジタルデータを再生する映像データ処理装置において、
音声データを含む映像データを記録する記録媒体と、
最初に記録した映像データから栞データを抽出し、その栞データを属性データと一緒に最初の映像データに添付して記録する栞データ抽出／記録手段と、
前記属性データを参照して、２回目以降の映像データが、最初の映像データと同じ種類のデータか否かを判定する映像データ種類判定手段と、
２回目以降の映像データが最初の映像データと同じ種類のデータであると判定した場合に、前記栞データを参照して表示メニューを作成し画面に表示するメニュー作成表示手段と、
前記表示されたメニューから選択された栞データに基づいて、該栞の位置まで再生前の映像データをジャンプさせ、その個所から映像データの再生を開始するデータ再生開始制御手段と、
を備えていることを特徴とする映像データ処理装置。
【０１７０】
（付記２）
前記栞データ抽出／記録手段は、
最初の映像データの再生開始時点から、外部からの栞位置指定がなされた時点までの経過時間と、フレーム数を計測し、その計測値を栞データとして記録媒体に記録することを特徴とする（付記１）記載の映像データ処理装置。
【０１７１】
（付記３）
前記栞データ抽出／記録手段は、
再生した最初の映像データから、外部から指示された点の動画を静止画としてサムネイル画像を抽出し、このサムネイル画像を栞データとして記録媒体に記録することを特徴とする（付記１）記載の映像データ処理装置。
【０１７２】
（付記４）
前記データ再生開始制御手段が栞をつけた部分、或いはその近辺にジャンプして再生を開始する際、栞をつけた画像近辺の画像パターン認識、輝度分布の比較、符号化ビットレートの比較、音声の比較のいずれかを行うことで栞部分の再生開始位置の微調整を行う再生開始位置微調整制御手段を備えていることを特徴とする（付記１）記載の映像データ処理装置。
【０１７３】
（付記５）          
前記記録媒体に記録された栞データを参照して栞一覧メニューを作成する栞メニュー作成手段と、
前記作成した栞メニューを画面に表示する栞メニュー表示手段と、
前記表示された栞メニューから選択された栞を基に、前記各栞の位置までそれぞれ再生前の映像データの位置をジャンプさせることで、複数の栞の位置から順番に映像データを再生する再生プログラムを作成する再生用プログラム作成手段と、
前記再生プログラムにより、複数の栞の位置からそれぞれ順番に順次再生を行うプログラム再生手段を備えていることを特徴とする（付記１）記載の映像データ処理装置。
【０１７４】
（付記６）
音声データを含む映像データをディジタル化して記録媒体に格納し、該格納されたディジタルデータを再生する映像データ処理装置に、
最初に記録した映像データから栞データを抽出し、その栞データを属性データと一緒に最初の映像データに添付して記録する栞データ抽出／記録手段と、
前記属性データを参照して、２回目以降の映像データが、最初の映像データと同じ種類のデータか否かを判定する映像データ種類判定手段と、
２回目以降の映像データが最初の映像データと同じ種類のデータであると判定した場合に、前記栞データを参照して表示メニューを作成し画面に表示するメニュー作成表示手段と、
前記表示されたメニューから選択された栞データに基づいて、該栞の位置まで再生前の映像データをジャンプさせ、その個所から映像データの再生を開始するデータ再生開始制御手段の機能を実現させるためのプログラム、又は該プログラムを記録したコンピュータ読み取り可能な記録媒体。
【０１７５】
（付記７）
映像データ種類判定手段は、２回目以降の映像データが、最初の映像データと同じ種類のデータか否かを判定する際、テレビジョン放送の番組での内容構成が同じか否かの判定を行うことを特徴とする（付記１）記載の映像データ処理装置。
【０１７６】
（付記８）
前記映像データ種類判定手段は、
前記ディジタルデータの種類が既に記録済みのデータと同じ種類か否かを判定する際、予め、前記属性データにＥＰＧ（Electronic Program Guide）の情報を含ませておき、キーワード一致の処理で一致する場合に同じ種類と判定する機能を備えていることを特徴とする（付記１）記載の映像データ処理装置。
【０１７７】
（付記９）
前記ディジタル映像、音声、記録、再生を実現させるためのデータ構造及びディジタルデータを記録再生メディアに記録することをを特徴とする（付記１）記載の映像データ処理装置。
【０１７８】
（付記１０）
前記ディジタル映像、音声、記録、再生を実現させるためのデータ構造及びディジタルデータを格納した記録再生メディアをネットワーク上で共有することを特徴とする（付記１）に記載の映像データ処理装置。
【０１７９】
（付記１１）
前記音声データを含む映像データは、テレビジョン放送の料理番組、英会話番組を含む番組を録画したデータであり、その番組内容は異なっていても、番組の構成は変わらないことを利用していることを特徴とする（付記１）に記載の映像データ処理装置。
【図面の簡単な説明】
【０１８０】
【図１】本発明の原理説明図である。
【図２】実施の形態における例１の装置ブロック図である。
【図３】実施の形態における例１の処理説明図であり、Ａ図は最初の映像データ、Ｂ図は２回目以降の映像データである。
【図４】実施の形態における例１の処理フローチャート（１回目）である。
【図５】実施の形態における例１の処理フローチャート（２回目以降）である。
【図６】実施の形態における例２の装置ブロック図である。
【図７】実施の形態における例２の処理説明図であり、Ａ図は最初の映像データ、Ｂ図は２回目以降の映像データである。
【図８】実施の形態における例２の処理フローチャート（１回目）である。
【図９】実施の形態における例２の処理フローチャート（２回目以降）である。
【図１０】実施の形態における例３の装置ブロック図である。
【図１１】実施の形態における例３の処理説明図であり、Ａ図は最初の映像データ、Ｂ図は２回目以降の映像データである。
【図１２】実施の形態における例３の処理フローチャート（２回目以降）（その１）である。
【図１３】実施の形態における例３の処理フローチャート（２回目以降）（その２）である。
【図１４】実施の形態における例４の装置ブロック図である。
【図１５】実施の形態における番組の結び付け処理フローチャートである。
【図１６】実施の形態における再生用プログラムの作成処理フローチャートである。
【図１７】実施の形態におけるプログラム再生処理フローチャートである。
【図１８】実施の形態におけるＥＰＧによる映像データの結び付けの説明図である。
【図１９】実施の形態におけるユーザによる映像データの結び付けの説明図である。
【図２０】実施の形態における経過時間の計測方法と栞の付け方の説明図である。
【図２１】実施の形態における栞のずれと微調整の説明図である。
【図２２】実施の形態におけるプログラム再生の説明図（その１）である。
【図２３】実施の形態におけるプログラム再生の説明図（その２）である。
【図２４】実施の形態における利用シーンの説明図である。
【図２５】実施の形態における映像データ処理装置の利用時の説明図である。
【図２６】実施の形態における具体的な装置例である。
【図２７】従来例２の説明図であり、Ａ図は映像データ例、Ｂ図は映像データ処理装置の説明図である。
【符号の説明】
【０１８１】
１  映像録画部
２  代表画像抽出部
３  新旧代表画像判定部
４  表示部
５  ハードディスク装置（ＨＤＤ）
６  代表画像参照部
７  新旧代表画像比較部
８  映像データ制御部
９  映像再生部
１０  メニュー作成部
１２  ＴＶチューナ
１３  時計
１４  制御部
１５  経過時間計測部
１６  栞データ抽出部
１７  フレーム数カウント部
１８  操作部
２０  栞データ参照部
２３  栞データ記録部
２４  栞画像抽出部
２５  再生映像抽出部
２６  栞データ制御部
２７  栞画像比較判定部
３０  栞位置制御部
３３  新旧結び付け処理部
３５  再生用プログラム作成部
３６  プログラム再生部
４１  映像データ処理装置本体
４４  リムーバブルディスクドライブ（ＲＤＤ）
４６  ＣＰＵ（中央演算処理装置）
４７  ＲＯＭ（不揮発性メモリ）
４８  メモリ
４９  Ｉ／Ｆ制御部（インタフェース制御部）
５０  通信制御部
【図１】
2005268987.tif 000003
【図２】
2005268987.tif 000004
【図３】
2005268987.tif 000005
【図４】
2005268987.tif 000006
【図５】
2005268987.tif 000007
【図６】
2005268987.tif 000008
【図７】
2005268987.tif 000009
【図８】
2005268987.tif 000010
【図９】
2005268987.tif 000011
【図１０】
2005268987.tif 000012
【図１１】
2005268987.tif 000013
【図１２】
2005268987.tif 000014
【図１３】
2005268987.tif 000015
【図１４】
2005268987.tif 000016
【図１５】
2005268987.tif 000017
【図１６】
2005268987.tif 000018
【図１７】
2005268987.tif 000019
【図１８】
2005268987.tif 000020
【図１９】
2005268987.tif 000021
【図２０】
2005268987.tif 000022
【図２１】
2005268987.tif 000023
【図２２】
2005268987.tif 000024
【図２３】
2005268987.tif 000025
【図２４】
2005268987.tif 000026
【図２５】
2005268987.tif 000027
【図２６】
2005268987.tif 000028
【図２７】
2005268987.tif 000029